(57)【特許請求の範囲】
【請求項１】
データサブキャリア信号及びパイロットサブキャリア信号を含む入力信号中のシンボルを、無線送信機との間でキャリア周波数の同期を行う自動周波数誤差補正回路から入力されるグループ分けに関する情報に基づいて、各グループにつき前記パイロットサブキャリア信号が少なくとも１つ以上含まれるように、複数のグループに分割する分割手段と、
前記パイロットサブキャリア信号の位相回転量に基づき、前記パイロットサブキャリア信号と同一のグループに含まれる前記データサブキャリア信号の位相を補正する補正手段と、
を具備することを特徴とする位相トラッキング回路。
【請求項２】
前記分割手段は、各グループにつき１つの前記パイロットサブキャリア信号が含まれるように、前記入力信号を前記複数のグループに分割することを特徴とする請求項１に記載の位相トラッキング回路。
【請求項３】
前記分割手段は、各グループにつき２以上の前記パイロットサブキャリア信号が含まれるように、前記入力信号を前記複数のグループに分割することを特徴とする請求項１に記載の位相トラッキング回路。
【請求項４】
データサブキャリア信号及びパイロットサブキャリア信号を含む入力信号中のシンボルを、無線送信機との間でキャリア周波数の同期を行う自動周波数誤差補正回路から入力されるグループ分けに関する情報に基づいて、各グループにつき前記パイロットサブキャリア信号が少なくとも１つ以上含まれるように、複数のグループに分割するステップと、
前記パイロットサブキャリア信号の位相回転量に基づき、前記パイロットサブキャリア信号と同一のグループに含まれる前記データサブキャリア信号の位相を補正するステップと、
を有することを特徴とする無線受信機の信号処理方法。
【請求項５】
無線受信機に対し、
データサブキャリア信号及びパイロットサブキャリア信号を含む入力信号中のシンボルを、無線送信機との間でキャリア周波数の同期を行う自動周波数誤差補正回路から入力されるグループ分けに関する情報に基づいて、各グループにつき前記パイロットサブキャリア信号が少なくとも１つ以上含まれるように、複数のグループに分割するステップと、
前記パイロットサブキャリア信号の位相回転量に基づき、前記パイロットサブキャリア信号と同一のグループに含まれる前記データサブキャリア信号の位相を補正するステップと、
を実行させるためのプログラム。
【発明の詳細な説明】
【技術分野】
【０００１】
本明細書に記載の装置・方法・及びプログラムは、多重通信の無線通信システムに用いられる無線受信機及びその制御方法に関し、特に受信信号の定常位相回転を補正するための位相トラッキング回路、無線受信機、信号処理方法、及び信号処理を実行させるためのプログラムに関するものである。
【背景技術】
【０００２】
多重通信の無線システムに用いられる変復調技術として、高速なデータ信号（広帯域信号）を複数（マルチキャリア）の低速信号（マルチキャリアのうちの１つ、以下サブキャリア信号）に分割して伝送するマルチキャリア変調方式がある。特に、各サブキャリア信号の周波数が直交関係にあるものをOFDM (Orthogonal Frequency Division Multiplexing：直交周波数分割多重)変調方式といい、802.11aや802.11g等の無線LAN規格において採用されている。送信データ中のサブキャリア信号同士は、互いに重なり合うように密に配置されているが、受信機側のFFT（Fast Fourier Transform：高速フーリエ変換）回路において、各サブキャリア信号を分離することができる。
【０００３】
OFDM方式では、各サブキャリア信号同士が干渉しないように、受信機側のAFC（Automatic Freqrency Control：自動周波数誤差補正）回路において、送受信機間におけるキャリア周波数の同期を行っている。しかし、AFCにおいて新たに生じた残留周波数誤差や、周波数変換の際に加わる位相雑音により、サブキャリア信号に定常位相回転が生じてしまう。この定常位相回転を補正するために、受信機側は位相トラッキング回路を備えている。位相トラッキング回路では、基準となるパイロット信号を用いて位相回転量を検出し、検出された位相回転量をもとにサブキャリア信号の位相補正を行う。特許文献１及び２には、このような位相トラッキング回路を備えた多重通信用の無線受信機が開示されている。
【０００４】
【特許文献１】特開２００１−５３７１２号公報
【特許文献２】特開２００１−１２７７３０号公報
【発明の開示】
【発明が解決しようとする課題】
【０００５】
従来の無線受信機における位相トラッキング回路では、一区切りのデータ（以下、シンボル）に含まれる複数のパイロット信号により検出された位相回転量を平均し、平均化された位相回転量を用いてサブキャリア信号の位相補正を行っている。これにより、熱雑音の影響を抑制することができる。しかし、例えばミリ波帯の周波数（６０GHz等）でOFDM方式の通信を行う場合は、同一シンボル内におけるサブキャリア信号の位相回転量のばらつきが大きくなる。このため、平均化された位相回転量を補正に用いると、サブキャリア信号の位相回転量を正しく補正することができず、結果として受信特性を劣化が生じてしまうという課題があった。
【０００６】
本明細書に記載の位相トラッキング回路は、上記の課題を解決することを目的とするものであり、多重通信の無線システムにおける残留周波数誤差及び位相雑音の影響による受信特性の劣化を抑制するためのものである。
【課題を解決するための手段】
【０００７】
本明細書に記載の信号処理方法は、データサブキャリア信号及びパイロットサブキャリア信号を含む入力信号信号中のシンボルを、無線送信機との間でキャリア周波数の同期を行う自動周波数誤差補正回路から入力されるグループ分けに関する情報に基づいて、各グループにつき前記パイロットサブキャリア信号が少なくとも１つ以上含まれるように、複数のグループに分割するステップと、前記パイロットサブキャリア信号の位相回転量に基づき、前記パイロットサブキャリア信号と同一のグループに含まれる前記データサブキャリア信号の位相を補正するステップと、を有することを特徴とする。また、本明細書に記載の位相トラッキング回路は、上記の方法を実現するための機構を備えた回路であり、本明細書に記載のプログラムは、上記の無線受信機に対し上記の方法を実行させるためのプログラムである。
【発明の効果】
【０００８】
上記の構成によれば、グループごとに位相回転量の補正を行うため、同一シンボル内におけるサブキャリア信号の位相のばらつきが大きい場合でも、残留周波数誤差及び位相雑音の影響による受信特性の劣化を抑制することができる。
【発明を実施するための最良の形態】
【０００９】
最初に、従来技術及びその課題について、図面を用いて詳細に説明する。
（比較例）
【００１０】
図１は、比較例に係る無線受信機における復調器部分の構成を示した図である。図示するように、比較例の復調器はＡＦＣ回路１０、ＦＦＴ回路１２、チャネル等価回路１４、及び位相トラッキング回路２０を有する。
【００１１】
受信されたＯＦＤＭ信号はＡＦＣ回路１０に入力され、キャリア周波数誤差の補正が行われる。次に、ＦＦＴ回路１２において一括復調が行われ、各サブキャリア信号へと分波される。その後、チャネル等化回路１４において各サブキャリア信号に対し同期検波処理が行われる。チャネル等化回路１４の出力は、位相トラッキング回路２０へ入力される。
【００１２】
図２（ａ）〜（ｃ）は、送信信号の波形の振幅及び位相を周波数領域で示した図である。図２（ａ）の縦軸は振幅、図２（ｂ）の縦軸は位相を表し、横軸は共に周波数を表す。図示するように、１つのシンボルには複数のデータサブキャリア信号と、複数のパイロットサブキャリア信号（受信機側で既知であるサブキャリア信号）とが含まれている。パイロットサブキャリア信号は、所定数のデータサブキャリア信号ごとにほぼ等間隔で配置されている。また、図２（ｃ）は図２（ａ）及び（ｂ）を複素平面において表現した図（Ｉ−Ｑコンスタレーション）である。パイロットサブキャリア信号を白い円で、データサブキャリア信号を黒い円で表している。データサブキャリア信号については一部のみを図示し、他は省略している。
【００１３】
図３は、図１のＦＦＴ回路１２の出力を示した図であり、フーリエ変換により復調された受信信号の振幅を示す。受信信号の波形は、無線信号の搬送経路におけるマルチパスフェージングの影響により歪みを受けている。
【００１４】
図４（ａ）〜（ｃ）は、図１のチャネル等化回路１４の出力を示した図であり、信号波形の表現方法は図２（ａ）〜（ｃ）と共通である。図４（ａ）を参照に、チャネル等化処理によりマルチパスフェージングの歪み（図３）は補正されている。図４（ｂ）及び（ｃ）を参照に、パイロットサブキャリア信号及びデータサブキャリア信号は、定常位相回転により位相のずれを生じている。この定常位相回転は、図１のＡＦＣ回路１０における残留周波数誤差や、搬送経路において加わる位相雑音に起因するものである。
【００１５】
図１を参照に、位相トラッキング回路２０は、パイロットサブキャリア抽出回路２２、位相回転量検出回路２４、位相回転量平均回路２６、及び位相補正回路２８を有する。位相トラッキング回路２０に入力された信号は、パイロットサブキャリア抽出回路２２に入力され、パイロットサブキャリア信号とデータサブキャリア信号とに分離して出力される。パイロットサブキャリア信号は位相回転量検出回路２４に入力される。位相回転量検出回路２４は、抽出したパイロットサブキャリア信号と既知のパイロットサブキャリア信号とを比較することにより、パイロットサブキャリア信号の位相回転量を検出し、結果を位相回転量平均回路２６へ出力する。
【００１６】
位相回転量平均回路２６は、複数のパイロットサブキャリア信号のそれぞれから検出された位相回転量を平均して、シンボル全体としての位相回転量を求め、結果を位相補正回路２８へと出力する。位相補正回路２８は、パイロットサブキャリア抽出回路２２から入力されるデータサブキャリア信号を、位相回転量平均回路２６から入力される位相回転量で除算することにより、シンボルの定常位相回転を補正する。位相補正回路２８の出力は、位相トラッキング回路２０の出力として不図示のデータ判定回路へ入力され、データの判定が行われる。
【００１７】
図５（ａ）〜（ｃ）は、図１のパイロットサブキャリア抽出回路２２において分離されたパイロットサブキャリア信号及びデータサブキャリア信号の波形を示した図である。図５（ａ）において、パイロットサブキャリア信号が抽出された後のデータサブキャリア信号の振幅を示す。また、図５（ｂ）は抽出されたパイロットサブキャリア信号の振幅を、図５（ｃ）は位相をそれぞれ示す。
【００１８】
図６（ａ）〜（ｃ）は、図１の位相回転量検出回路２４における位相回転量の検出方法を示す図である。図６（ａ）は受信信号におけるパイロットサブキャリア信号の位相を、図６（ｂ）は既知のパイロットサブキャリアの位相をそれぞれ示す。両者を比較することにより、図６（ｃ）に示すようにパイロットサブキャリア信号の位相回転量を検出する。ここでは、位相回転量は全て２５°となっているため、位相回転量の平均も２５°となる。
【００１９】
図７（ａ）〜（ｃ）は、図１の位相補正回路２８の出力を示した図であり、信号波形の表現方法は図２（ａ）〜（ｃ）と共通である。図２（ａ）〜（ｃ）と異なり、シンボルにはパイロットサブキャリア信号が含まれていない。図７（ａ）〜（ｃ）のデータサブキャリア信号は、図４（ａ）〜（ｃ）に示したチャネル等化後のデータサブキャリア信号を、図６（ｃ）で検出した位相回転量の平均値である２５°で除算したものである。これにより、データサブキャリア信号の位相が補正され、図２（ａ）〜（ｃ）の送信信号におけるデータサブキャリア信号の位相と一致する。以上のように、位相トラッキング回路２０により受信信号における定常位相回転を補正することができる。
【００２０】
図５（ｃ）を参照に、上記の比較例では１つのシンボルに含まれる複数のパイロットサブキャリア信号の位相回転量はどれも２５°で等しい。しかし、図８（ａ）〜（ｃ）に示すように、パイロットサブキャリア信号の位相回転量は常に等しくなるとは限らない。特に、周波数の大きいミリ波帯の周波数（例えば、６０ＧＨｚ）においてＯＦＤＭ通信を行う場合は、同一シンボル内におけるサブキャリア信号の定常位相回転量のばらつきは大きくなる。例えば図８（ｃ）では、左から１番目と３番目のパイロットサブキャリア信号の間に５０°の位相差が生じている。このような場合は、複数のパイロットサブキャリア信号の位相回転量の平均を用いて移送回転量の補正を行うことが必ずしも適切ではなく、場合によっては補正による誤差が大きくなり受信特性が劣化するおそれがある。
【００２１】
以下の実施例では、上記のように同一シンボル内におけるサブキャリア信号の位相回転量のばらつきが大きい場合であっても、残留周波数誤差及び位相雑音の影響による受信特性の劣化を抑制することのできる位相トラッキング回路及び信号処理方法を開示する。また、そのような位相トラッキング回路を備える無線受信機と、無線受信機に所定の信号処理を実行させるためのプログラムについても同様に説明する。
【実施例１】
【００２２】
図９は、実施例１に係る無線受信機における復調器部分の構成を示した図である。図１（比較例）と共通の構成については同一の符号を付し、詳細な説明を省略する。図９の構成は、位相トラッキング回路２０Ａの構成が図１に示す位相トラッキング回路２０と異なる。位相トラッキング回路２０Ａは、パイロットサブキャリア抽出回路２２と位相補正回路２８との間に分割回路３０を有する。分割回路３０は、記憶装置３２と接続されている。また、分割回路３０には、ＡＦＣ回路１０からの同期情報（シンボルの先頭位置の情報）が入力される。図１と異なり、位相トラッキング回路２０Ａは位相回転量平均回路２６を備えていない。
【００２３】
図１０は、位相トラッキング回路２０Ａにおける信号処理の流れを示したフローチャートである。図９及び図１０を参照に、最初にパイロットサブキャリア抽出回路２２が、入力信号からパイロットサブキャリア信号を抽出する（ステップＳ１０）。次に、位相回転量検出回路２４が抽出されたパイロットサブキャリア信号の位相回転量を検出する（ステップＳ１２）。次に、分割回路３０が記憶装置３２及びＡＦＣ回路１０からグループ分けに関する情報を取得し（ステップＳ１４）、そのグループ分けに関する情報をもとに入力信号（シンボル）を複数のグループに分割する（ステップＳ１６）。その後、位相補正回路２８がステップＳ１２で検出されたパイロットサブキャリア信号の位相回転量に基づき、データサブキャリア信号の位相補正を行う（ステップＳ１８）。位相補正は、ステップＳ１６において分割されたグループごとに行う。
【００２４】
図１１（ａ）及び（ｂ）を参照に、位相トラッキング回路２０Ａの信号処理についてさらに詳しく説明する。図１１（ａ）は図１０のステップＳ１６におけるグループ分け処理を説明する図であり、位相トラッキング回路２０Ａへの入力信号の波形を示す。図示するように、データサブキャリア信号及びパイロットサブキャリア信号を合わせたサブキャリア信号には、周波数の小さい順にサブキャリア番号１〜ｎが付されている。また、パイロットサブキャリア信号には、周波数の小さい順にパイロット番号１〜ｍが付されている（ｍ＜ｎ）。サブキャリア番号１〜ｎ及びパイロット番号１〜ｍは、例えば不揮発性の半導体メモリからなる記憶装置３２に記憶されている。分割回路３０は、ＡＦＣ回路１０から入力されるシンボルの先頭位置情報に基づいて、これらの番号を実際の入力信号と対応させる。
【００２５】
図１１（ａ）を参照に、パイロットサブキャリア信号Ｐ１より低い周波数のデータサブキャリア信号（サブキャリア番号１〜４）は、グループＱ１に分類される。また、パイロットサブキャリア信号Ｐｍより高い周波数のデータサブキャリア信号（サブキャリア番号ｎ〜ｎ−３）は、グループＱｍに分類される。パイロットサブキャリア信号Ｐ１とＰ２との間のサブキャリア信号は、サブキャリア番号が６〜８のものはグループＱ１に、９〜１１のものはグループＱ２にそれぞれ分類される。以下同様に、隣接するパイロットサブキャリア信号の周波数の平均を基準としてグループ分け処理を行う。すなわち、パイロットサブキャリア信号Ｐｋ−１とＰｋ（ｋはｍ以下の整数）との間にあるサブキャリア信号については、サブキャリア番号が（Ｐｋ−１＋Ｐｋ）／２より小さいものをグループＱｋ−１に、（Ｐｋ−１＋Ｐｋ）／２より大きいものをグループＱｋにそれぞれ分類する（Ｐｋ−１及びＰｋは、パイロットサブキャリアＰｋ−１及びＰｋのそれぞれのサブキャリア番号とする）。
【００２６】
以上の処理により、シンボル中のデータサブキャリア信号はグループＱ１〜Ｑｍに分類される。図１１（ａ）では、グループの数がパイロットサブキャリアの数と等しく、各グループに１つずつのパイロットサブキャリア信号が含まれるようにグループ分けが行われる。
【００２７】
図１１（ｂ）は図１０のステップＳ１８における位相補正処理を説明する図であり、グラフはパイロットサブキャリア信号Ｐ１〜Ｐｍの位相回転量を示す。図９の位相補正回路２８は、パイロットサブキャリア信号Ｐ１の位相回転量に基づき、グループＱ１に含まれるデータサブキャリア信号の定常位相回転を補正する。ここではパイロットサブキャリア信号Ｐ１の位相回転量が２５°であるため、グループＱ１の位相回転量は−２５°修正される。以下、同様にグループＱ２〜Ｑｍについても、パイロットサブキャリア信号Ｐ２〜Ｐｍをもとに位相回転を補正する。
【００２８】
以上のように、図９に記載の位相トラッキング回路２０Ａは、データサブキャリア信号及びパイロットサブキャリア信号を含む入力信号を複数のグループに分割する分割手段（分割回路３０）と、パイロットサブキャリア信号の位相回転量に基づきデータサブキャリア信号の位相を補正する補正手段（位相補正回路２８）とを有する。グループ分けの際には、各グループにつきパイロットサブキャリア信号が少なくとも１つ以上含まれるようにグループ分けを行い、データサブキャリアの位相補正は、同一のグループに含まれるパイロットサブキャリア信号の位相回転量に基づいて行う。定常位相回転の補正をグループごとに行うことで、パイロットサブキャリア信号とデータサブキャリア信号との間における位相回転量のミスマッチを低減することができる。これにより、同一シンボル内におけるサブキャリア信号の位相回転量のばらつきが大きい場合であっても、残留周波数誤差及び位相雑音の影響による受信特性の劣化を抑制することができる。特に、実施例１のように各グループにつきパイロットサブキャリ信号が１つずつ含まれるようにグループ分けを行った場合は、後述する実施例２に比べてパイロットサブキャリア信号とデータサブキャリア信号とのミスマッチをさらに低減することができるため、受信特性の劣化をさらに抑制することができる。
【００２９】
また、図１０に記載の信号処理方法は、データサブキャリア信号及びパイロットサブキャリア信号を含む入力信号を、各グループにつきパイロットサブキャリア信号が少なくとも１つ以上含まれるように複数のグループに分割するステップ（ステップＳ１６）と、パイロットサブキャリア信号の位相回転量に基づき、パイロットサブキャリア信号と同一のグループに含まれるデータサブキャリア信号の位相を補正するステップ（ステップＳ１８）とを含む。図９の位相トラッキング回路２０Ａは、図１０の信号処理方法を実現するための回路構成の一例であり、図１０の信号処理方法は他の回路または装置よって実現されてもよい。また、図１０のステップＳ１６及びＳ１８を含む信号処理は、プログラムに記述して所定の記憶手段（例えば、無線受信機内の不揮発性メモリ）に記憶させることができる。これにより、プログラムを必要に応じて記憶手段から読み出すことで、上記の処理を無線受信機に実行させることができる。
【実施例２】
【００３０】
実施例２は、１つのグループにつきパイロットサブキャリア信号が２つ以上含まれるようにグループ分けを行う例である。図１２は、実施例２に係る無線受信機における復調器部分の構成を示した図である。図９（実施例１）と共通の構成については同一の符号を付し、詳細な説明を省略する。図１２の構成は、位相トラッキング回路２０Ｂの構成が図９に示す位相トラッキング回路２０Ａと異なる。位相トラッキング回路２０Ｂは、図１に示したものと同じ位相回転量平均回路２６を有する。位相回転量平均回路２６には、位相回転量検出回路２４及び分割回路３０の出力が入力される。位相回転量平均回路２６の出力は、位相補正回路２８へ入力される。
【００３１】
図１３は、位相トラッキング回路２０Ｂにおける信号処理の流れを示したフローチャートである。図１２及び図１３を参照に、最初に分割回路３０が、記憶装置３２及びＡＦＣ回路１０からグループ分けに関する情報を取得し（ステップＳ２０）、そのグループ分けに関する情報をもとに入力信号（シンボル）を複数のグループに分割する（ステップＳ２２）。次に、パイロットサブキャリア抽出回路２２が、入力信号からパイロットサブキャリア信号を抽出する（ステップＳ２４）。次に、位相回転量検出回路２４が抽出されたパイロットサブキャリア信号の位相回転量を検出する（ステップＳ２６）。次に、位相回転量平均回路２６が、ステップＳ２２において分割されたグループごとに、ステップＳ２６において検出されたパイロットサブキャリアの位相回転量を平均する（ステップＳ２８）。最後に位相補正回路２８が、ステップＳ２８で算出されたグループごとのパイロットサブキャリア信号の平均位相回転量に基づき、データサブキャリア信号の位相補正を行う（ステップＳ３０）。位相補正は、ステップＳ２２において分割されたグループごとに行う。
【００３２】
図１４（ａ）及び（ｂ）を参照に、位相トラッキング回路２０Ｂの信号処理についてさらに詳しく説明する。図１４（ａ）は図１３のステップＳ２２における分割処理を説明する図であり、位相トラッキング回路２０Ｂへの入力信号の波形を示す。図１１（ａ）と同じく、サブキャリア信号にはサブキャリア番号１〜ｎが、パイロットサブキャリア信号にはパイロット番号１〜ｍがそれぞれ付されている（ｍ＜ｎ）。
【００３３】
図１４（ａ）を参照に、パイロットサブキャリア信号Ｐ１及びＰ２を含むサブキャリア番号１〜１５のサブキャリア信号が、同一のグループＲ１に分類される。すなわち、図１１（ａ）におけるグループＱ１及びＱ２が、同一のグループＲ１となる。同様に、図１１（ａ）において隣接するグループであるＱｋ−１及びＱｋ（ｋはｍ以下の整数）が、同一のグループＲｋ／２に分類される。以上の処理により、シンボル中のデータサブキャリア信号はグループＲ１〜Ｒｍ／２に分類される。図１１（ａ）と異なり、図１４（ａ）では各グループに２つずつのパイロットサブキャリア信号が含まれるようにグループ分けが行われる。
【００３４】
図１４（ｂ）は、図１３のステップＳ２８における平均化処理及びステップＳ３０における位相補正処理を説明する図であり、グラフはパイロットサブキャリア信号Ｐ１〜Ｐｍの位相回転量を示す。図１２の位相回転量平均回路２６は、同一のグループに含まれるパイロットサブキャリア信号の位相回転量を平均する。例えば、グループＲ１に含まれるパイロットサブキャリア信号Ｐ１及びＰ２の位相回転量を平均してグループＲ１の平均位相回転量Ｐ１’を算出する。ここでは、Ｐ１の位相回転量が２５°、Ｐ２の位相回転量が１５°であるため、Ｐ１’の値は（２５°＋１５°）／２＝２０°となる。以下、同様に同一グループ内の隣接するパイロットサブキャリア信号同士を平均して、グループごとの位相回転量Ｐ２’〜Ｐｍ／２’を求める。
【００３５】
図１２の位相補正回路２８は、位相回転量平均回路２６により求められた平均位相回転量量Ｐ１’〜Ｐｍ／２’に基づき、グループＲ１〜Ｒｍ／２のそれぞれに含まれるデータサブキャリア信号の定常位相回転を補正する。例えば、グループＲ１の平均位相回転量は２０°であるため、グループＲ１に含まれるデータサブキャリア信号（サブキャリア番号１〜１５）の位相回転量は−２０°修正される。
【００３６】
以上のように、図１２（実施例２）に記載の分割回路３０は、各グループにつき２つのパイロットサブキャリア信号が含まれるようにシンボルのグループ分けを行う。これにより、実施例１に比べてグループの数を少なくすることができるため計算量を小さくすることができ、信号処理をさらに高速化することができる。なお、シンボルのグループ分けの方法は実施例１及び実施例２に限定されるものではない。例えば、１つのグループにパイロットサブキャリア信号が３つ以上含まれるようにグループ分けを行ってもよい。また、それぞれのグループに含まれるパイロットサブキャリア信号の本数が異なっていてもよい。
【００３７】
また、図１２に記載の位相補正回路２８は、同一グループに含まれるパイロットサブキャリア信号の位相回転量の平均に基づいて、データサブキャリア信号の位相補正を行う。上記以外でも、平均位相回転量を用いずに、グループ内における任意の（１つの）パイロットサブキャリア信号の位相回転量に基づき位相補正を行ってもよい。ただし、１つのグループに２以上のパイロットサブキャリア信号が含まれる場合は、平均位相回転量を用いたほうがグループごとの定常位相回転をより正確に補正することができる。
【００３８】
以上、本発明の実施例について説明したが、本発明は上記の実施例に限定されず、その要旨を逸脱しない範囲内において種々の変形が可能である。例えば、実施例１または２に記載の無線受信機を、ＯＦＤＭ変調方式の無線送信機と組み合わせて無線通信システムを構成してもよい。
【００３９】
以下に付記する。
（付記１）データサブキャリア信号及びパイロットサブキャリア信号を含む入力信号を、各グループにつき前記パイロットサブキャリア信号が少なくとも１つ以上含まれるように、複数のグループに分割する分割手段と、
前記パイロットサブキャリア信号の位相回転量に基づき、前記パイロットサブキャリア信号と同一のグループに含まれる前記データサブキャリア信号の位相を補正する補正手段と、
を具備することを特徴とする位相トラッキング回路。
（付記２）前記分割手段は、各グループにつき１つの前記パイロットサブキャリア信号が含まれるように、前記入力信号を前記複数のグループに分割することを特徴とする付記１に記載の位相トラッキング回路。
（付記３）前記分割手段は、各グループにつき２以上の前記パイロットサブキャリア信号が含まれるように、前記入力信号を前記複数のグループに分割することを特徴とする付記１に記載の位相トラッキング回路。
（付記４）前記補正手段は、前記各グループに含まれる前記２以上のパイロットサブキャリア信号のそれぞれの前記位相回転量の平均に基づき、前記データサブキャリア信号の位相を補正することを特徴とする付記３に記載の位相トラッキング回路。
（付記５）付記１から４のうちいずれか１項に記載の位相トラッキング回路を具備することを特徴とする無線受信機。
（付記６）データサブキャリア信号及びパイロットサブキャリア信号を含む入力信号を、各グループにつき前記パイロットサブキャリア信号が少なくとも１つ以上含まれるように、複数のグループに分割するステップと、
前記パイロットサブキャリア信号の位相回転量に基づき、前記パイロットサブキャリア信号と同一のグループに含まれる前記データサブキャリア信号の位相を補正するステップと、
を有することを特徴とする信号処理方法。
（付記７）前記入力信号を分割するステップは、各グループにつき１つの前記パイロットサブキャリア信号が含まれるように、前記入力信号を前記複数のグループに分割することを特徴とする付記６に記載の信号処理方法。
（付記８）前記入力信号を分割するステップは、各グループにつき２以上の前記パイロットサブキャリア信号が含まれるように、前記入力信号を前記複数のグループに分割することを特徴とする付記６に記載の信号処理方法。
（付記９）前記データサブキャリア信号の位相を補正するステップは、前記各グループに含まれる前記２以上のパイロットサブキャリア信号のそれぞれの前記位相回転量の平均に基づき、前記データサブキャリア信号の位相を補正することを特徴とする付記８に記載の信号処理方法。
（付記１０）無線受信機に対し、
データサブキャリア信号及びパイロットサブキャリア信号を含む入力信号を、各グループにつき前記パイロットサブキャリア信号が少なくとも１つ以上含まれるように、複数のグループに分割するステップと、
前記パイロットサブキャリア信号の位相回転量に基づき、前記パイロットサブキャリア信号と同一のグループに含まれる前記データサブキャリア信号の位相を補正するステップと、
を実行させるためのプログラム。
【図面の簡単な説明】
【００４０】
【図１】図１は比較例に係る無線受信機の構成を示すブロック図である。
【図２】図２は比較例における送信信号の波形を示す図である。
【図３】図３は図１のＦＦＴ回路１２の出力信号を示す図である。
【図４】図４は図１のチャネル等化回路１４の出力信号を示す図である。
【図５】図５は図１のパイロットサブキャリア抽出回路２２の出力信号を示す図である。
【図６】図６は図１の位相回転量検出回路２４における位相回転量の検出方法を説明するための波形図である。
【図７】図７は図１の位相補正回路２８の出力信号を示す図である。
【図８】図８は比較例におけるパイロットサブキャリア信号の位相回転量の例を示す図である。
【図９】図９は実施例１に係る無線受信機の構成を示すブロック図である。
【図１０】図１０は実施例１に係る無線受信機の信号処理の流れを示したフローチャートである。
【図１１】図１１は実施例１に係る無線受信機の信号処理を詳細に説明するための波形図である。
【図１２】図１２は実施例２に係る無線受信機の構成を示すブロック図である。
【図１３】図１３は実施例２に係る無線受信機の信号処理の流れを示したフローチャートである。
【図１４】図１４は実施例２に係る無線受信機の信号処理を詳細に説明するための波形図である。
【符号の説明】
【００４１】
１０    ＡＦＣ回路
１２    ＦＦＴ回路
１４    チャネル等化回路
２０    位相トラッキング回路
２２    パイロットサブキャリア抽出回路
２４    位相回転量検出回路
２６    位相回転平均回路
２８    位相補正回路
３０    分割回路
３２    記憶装置
【図１】
0004930424.tif 000002
【図２】
0004930424.tif 000003
【図３】
0004930424.tif 000004
【図４】
0004930424.tif 000005
【図５】
0004930424.tif 000006
【図６】
0004930424.tif 000007
【図７】
0004930424.tif 000008
【図８】
0004930424.tif 000009
【図９】
0004930424.tif 000010
【図１０】
0004930424.tif 000011
【図１１】
0004930424.tif 000012
【図１２】
0004930424.tif 000013
【図１３】
0004930424.tif 000014
【図１４】
0004930424.tif 000015